(57)【要約】   【課題】  必要に応じてスリーパーのみを着用することもできるし、冬季、冷房時、あるいは病気時にはスリーパーと腹巻き双方の着用を迅速かつ容易に着用することができ、また必要に応じて途中から腹巻きをこれまた迅速かつ容易に取外すこともできるスリーパーを提供することを目的とする。  【解決手段】  スリーパー１本体の着用者の腹部に対応する背部当接部分２には腹部に巻回することのできる腹巻き３を取付ける。【選択図】図１
0003143484.tif 000002
【実用新案登録請求の範囲】
【請求項１】
スリーパー本体の着用者の腹部に対応する背部当接部分には腹部に巻回することのできる腹巻きを取り付けたことを特徴とするスリーパー。
【請求項２】
腹巻きはスリーパー本体の着用者の腹部に対応する背部当接部分に一体的に取着けたことを特徴とする請求項１記載のスリーパー。
【請求項３】
腹巻きはスリーパー本体の着用者の腹部に対応する背部当接部分に着脱自在に取付けたことを特徴とする請求項１または２に記載のスリーパー。
【請求項４】
スリーパー本体の着用者の腹部に対応する背部当接部分には腹巻きに取付けた止着部材と着脱自在に止着部材を取付けたことを特徴とする請求項３乃至４のいずれかに記載のスリーパー
【請求項５】
スリーパー本体の着用者の腹部に対応する背部当接部分に取着けられる腹巻き取り付け用止着部材と、この止着部材と着脱自在に止着される腹巻きに取り付けられてなる止着部材は、着用者の所望高さ部分にて着脱自在に止着されるべく、それぞれの止着部材は高さ位置調整自在の長さを有してなることを特徴とする請求項１乃至４のいずれかに記載のスリーパー。
【請求項６】
腹巻きは帯体からなり、長手方向両側部の重ね合わせ部分のそれぞれには所望位置にて重ね合わせ止着すべく腹巻きの周径調整自在の長さからなる止着部材をそれぞれ取付け形成したことを特徴とする請求項１乃至５のいずれかに記載のスリーパー。
【請求項７】
スリーパー本体の着用者の腹部に対応する背部当接部分に取付ける腹巻き取付け用止着部材と、この止着部材と着脱自在に止着される腹巻きに取付けられてなる止着部材には、使用時には開蓋し未使用時にはそれぞれの止着部材が露呈しないよう、スリーパー本体及び腹巻きの止着部材を被蓋することのできる開閉自在の蓋体をそれぞれ取り付け形成してなることを特徴とする請求項１乃至６のいずれかに記載のスリーパー。
【請求項８】
スリーパー本体の腹部に対応する背部当接部分には、高さ方向に複数個所のループ部を配設し、腹巻きには一端を腹巻きに固定された固定端とするとともに他端を腹巻きに着脱自在な開放端としたベルト部を配設し、前記ベルト部の他端を所望の高さに位置する前記ループ部に通すとともに前記腹巻きに着脱自在に止着してなることにより、前記腹巻きをスリーパー本体に着脱自在に取り付け形成してなることを特徴とする請求項１乃至７のいずれかに記載のスリーパー。
【考案の詳細な説明】
【技術分野】
【０００１】
本考案は、乳幼児等の子供が就寝時あるいは休息時等に着用する、寝袋あるいはおくる身、ガウンともいうべきスリーパーの改良に関するものである。
【背景技術】
【０００２】
この種スリーパーは、乳幼児等の子供の就寝時あるいは休息時、身体全体を保護し、危険物等から身を守るとともに、所要の保温効果とあいまって、充分な睡眠及び休息を得ることができる。しかしながら、冬期あるいは冷房時、寒い夜中等にあっては身体をくるむだけの通常のスリーパーだけでは所謂おなかの冷えをカバーすることはできない。
【０００３】
特におなかの冷えは子供にとって大敵であり、各種病気の原因ともなるものである。一方、おなかの冷えを防止するための腹巻きは古来より存在し、おなかの冷えが原因の各種病気を未然に防止することが出来ることで知られている。
【０００４】
【特許文献１】特願２００６−１２４８７３号公報
【考案の開示】
【考案が解決しようとする課題】
【０００５】
上述したようにスリーパーのみでは身体全体の保護保温効果はあるにしても、おなかのの冷えを確実に防止することは困難であり、また腹巻きは腹部を保護し腹部の冷えを防止できても部分的なものであり、身体全体の保護及び保温はできない。
【０００６】
スリーパー及び腹巻きをそれぞれ別体にして所有すれば、必要に応じてスリーパーのみの着用あるいはスリーパーと腹巻き双方の着用をすることができるが、別体であるため面倒であり、本来腹巻きを使用しなければならない寒い環境時あるいは病気時にあっても腹巻きの着用を怠ってしまうことがしばしばである。
【０００７】
またスリーパーと腹巻きの双方を着用したものの、部屋内があたたかくなり、あるいはおなかの具合いが良くなり腹巻きの着用が不要になった時でも腹巻きの取外しは手間がかかり面倒であることからついそのまま着用し、必要以上の汗をかいてしまう等の欠点もあった。
【０００８】
そこで本考案にあってはスリーパーに腹巻きを一体的もしくは着脱自在に装着することにより、必要に応じてスリーパーのみを着用することもできるし、冬季、冷房時、あるいは病気時にはスリーパーと腹巻き双方の着用を迅速かつ容易に着用することができ、また必要に応じて途中から腹巻きをこれまた迅速かつ容易に取外すこともできるスリーパーを提供することを目的とする。
【課題を解決するための手段】
【０００９】
以上の課題を解決するために本考案のスリーパーは、スリーパー本体の着用者の腹部に対応する背部当接部分には腹部に巻回することのできる腹巻きを取り付けたことを特徴とするものである。
【００１０】
また、腹巻きはスリーパー本体の着用者の腹部に対応する背部当接部分に一体的に取着けたことを特徴とするものである。
【００１１】
また、腹巻きはスリーパー本体の着用者の腹部に対応する背部当接部分に着脱自在に取付けたことを特徴とするものである。
【００１２】
また、スリーパー本体の着用者の腹部に対応する背部当接部分には腹巻きに取付けた止着部材と着脱自在に止着部材を取付けたことを特徴とするものである。
【００１３】
また、スリーパー本体の着用者の腹部に対応する背部当接部分に取着けられる腹巻き取り付け用止着部材と、この止着部材と着脱自在に止着される腹巻きに取り付けられてなる止着部材は、着用者の所望高さ部分にて着脱自在に止着されるべく、それぞれの止着部材は高さ位置調整自在の長さを有してなることを特徴とするものである。
【００１４】
また、腹巻きは帯体からなり、長手方向両側部の重ね合わせ部分のそれぞれには所望位置にて重ね合わせ止着すべく腹巻きの周径調整自在の長さからなる止着部材をそれぞれ取付け形成したことを特徴とするものである。
【００１５】
また、スリーパー本体の着用者の腹部に対応する背部当接部分に取付ける腹巻き取付け用止着部材と、この止着部材と着脱自在に止着される腹巻きに取付けられてなる止着部材には、使用時には開蓋し未使用時にはそれぞれの止着部材が露呈しないよう、スリーパー本体及び腹巻きの止着部材を被蓋することのできる開閉自在の蓋体をそれぞれ取り付け形成してなることを特徴とするものである。
【００１６】
また、スリーパー本体の腹部に対応する背部当接部分には、高さ方向に複数個所のループ部を配設し、腹巻きには一端を腹巻きに固定された固定端とするとともに他端を腹巻きに着脱自在な開放端としたベルト部を配設し、前記ベルト部の他端を所望の高さに位置する前記ループ部に通すとともに前記腹巻きに着脱自在に止着してなることにより、前記腹巻きをスリーパー本体に着脱自在に取り付け形成したことを特徴とするものである。
【考案の効果】
【００１７】
本考案のスリーパーによれば、スリーパー本体の着用者の腹部に対応する背部当接部分には腹部に巻回することのできる腹巻きを取り付けたことからスリーパーと腹巻きの双方を別体にて用意あるいは購入することなく、必要に応じてスリーパーの着用とスリーパーと腹巻き双方の着用を任意に選択することができる。
【００１８】
腹巻きはスリーパー本体の着用者の腹部に対応する背部当接部分に着脱自在に取付けたことから、腹巻き未使用の時は腹巻きを迅速かつ容易に取外しスリーパーのみの着用をすることができ、腹巻き使用の時は、これまた迅速かつ容易に腹巻きを取付けることができる。
【００１９】
スリーパー本体の着用者の腹部に対応する背部当接部分には腹巻きに取付けた止着部材と着脱自在に止着部材を取付けたことから、腹巻きの取付け、取外しを極めて迅速かつ容易に行うことができる。
【００２０】
スリーパー本体の着用者の腹部に対応する背部当接部分に取着けられる腹巻き取り付け用止着部材と、この止着部材と着脱自在に止着される腹巻きに取り付けられてなる止着部材は、着用者の所望高さ部分にて着脱自在に止着されるべく、それぞれの止着部材は高さ位置調整自在の長さを有してなることから、身長の異なる幼児であっても、あるいは成長に応じて腹部の好適な高さ位置に腹巻きを装着することができる。
【００２１】
腹巻きは帯体からなり、長手方向両側部の重ね合わせ部分のそれぞれには所望位置にて重ね合わせ止着すべく腹巻きの周径調整自在の長さからなる止着部材をそれぞれ取付け形成したことから、腹の大きさの相違に応じて、あるいは成長に応じて腹部の大きさに合った腹巻きの装着を行うことができる。
【００２２】
スリーパー本体の着用者の腹部に対応する背部当接部分に取付ける腹巻き取付け用止着部材と、この止着部材と着脱自在に止着される腹巻きに取付けられてなる止着部材には、使用時には開蓋し未使用時にはそれぞれの止着部材が露呈しないよう、スリーパー本体及び腹巻きの止着部材を被蓋することのできる開閉自在の蓋体をそれぞれ取り付け形成してなることから、腹巻き取外し時にあっても何等違和感なく好適な肌ざわりにてスリーパーを着用することができる。
【００２３】
また、スリーパー本体の腹部に対応する背部当接部分には、高さ方向に複数個所のループ部を配設し、腹巻きには一端を腹巻きに固定された固定端とするとともに他端を腹巻きに着脱自在な開放端としたベルト部を配設し、前記ベルト部の他端を所望の高さに位置する前記ループ部に通すとともに前記腹巻きに着脱自在に止着してなることにより、前記腹巻きをスリーパー本体に着脱自在に取り付け形成してなることから、所望の高さにしっかりと腹巻きを固定することができる。
【考案を実施するための最良の形態】
【００２４】
図１、図２に本考案の一実施例に係るスリーパーを示す。
図中１はスリーパー本体であり首出し部１ａ、腕出し部１ｂを有する前開き状からなり、前開き部はチャックあるいは面ファスナー等の止着具にて開閉自在に形成されている。
図示しないが前身と後身を別体にて形成し、首出し部と腕出し部を除き同じくホック、ボタン、面ファスナー等の止着具にて接合自在のスリーパー形態としてもよい。
【００２５】
２はスリーパー本体１における着用者の腹部に対応する背部当接部分であり、この背部当接部分２には腹巻き３が取付けられている。
この腹巻き３はスリーパー本体１の背部当接部分２に一体的に取付けられてもよいし、図１に示すように着脱自在に取付けられてもよい。
【００２６】
腹巻き３がスリーパー本体１に着脱自在に取付けられる実施例につき以下説明する。
スリーパー本体１の着用者の腹部に対応する背部当接部２には面ファスナー等の止着部材４があらかじめ取付け形成されている。
この止着部材４は腹巻き３を着用者の好適な高さ位置に止着できるようある程度の長さを有している。
【００２７】
５は腹巻き３の裏部に取付け形成された前記腹部対応する背部当接部２に取付け形成された止着部材４と接着自在に係合止着することのできる面ファスナー等の止着部材であり、同様に着用者の好適な高さ位置に腹巻き３が止着できるようにある程度の長さを有し、着用者の背の高さに応じて止着部４と止着部５とは所望する接合止着位置を自在に設定することができる。
【００２８】
図３において６及び７は帯状の腹巻き３の両側部に取付け形成された面ファスナー等の止着部材であり、着用者が腹部に巻回した際、互いに重ね合わさ状にて止着される。
この止着部材６及び７も着用者の腹部の周径に応じて好適な位置にて重ね合わせ止着することができるようにその横幅はある程度の余裕を持った長さにて形成される。
【００２９】
８は背部当接部２に取付け形成された上着部材４を開閉自在に被蓋できる蓋部材であり、腹巻き３未使用時に面ファスナー等の止着部材４が露呈してしまい着用者に不快感を与えることがないよう、腹巻き未使用時は蓋部材の止着部８ａを止着部材４に止着し被蓋する。
【００３０】
９は腹巻き３の止着部５を開閉自在に被蓋する蓋部材であり同様に止着部５に止着される止着部９ａを有し腹巻き未使用時に外部にて面ファスナー等の止着部５が露呈しないように工夫している。
【００３１】
そして腹巻き３をスリーパー本体１に取付け取り外し自在に装着される際には、この蓋部材８及び９は開蓋されスリーパー本体１の止着部４と腹巻き３の止着部を互いに所望高さ位置にて接合するものである。
その後、着用者は腹巻き３を重ね合わせ好適な巻きつけ位置にて止着部６と止着部７を接合することによって完了する。
【００３２】
尚、スリーパー本体１及び腹巻き３の止着部は一本に限らず複数本であってもよいし、止着部材そのものも面ファスナーを始め、ボタン、ホック等所要の止着効果を発揮できるものであればいかなる止着部材であってもよい。
【００３３】
また、スリーパー本体１０に腹巻き１１を取り付ける手段としては、図４に示すように、スリーパー本体の腹部に対応する背部当接部分に、高さ方向に複数個所のループ部１０ａ、１０ｂ、１０ｃ、１０ｄを配設し、腹巻き１１のスリーパー本体１０に当接する面には一端を腹巻きに固定された固定端１２ａとするとともに他端を腹巻きに着脱自在に面ファスナー等の止着部材１３を貼着した開放端１２ｂとしたベルト部１２を配設し、ベルト部１２の他端を所望の高さに位置するループ部１０ｂに通してから、腹巻き１１に貼着された止着部材１４に着止着してなることにより、腹巻き１１をスリーパー本体１０に取り付ける手段を用いてもよい。
【図面の簡単な説明】
【００３４】
【図１】本考案のスリーパーの一実施例を示す斜視図である。
【図２】本考案のスリーパーにおけるスリーパー本体を示す斜視図である。
【図３】腹巻きを示す斜視図である。
【図４】本考案の腹巻き着脱手段を示す斜視図である。
【符号の説明】
【００３５】
１    スリーパー本体
１ａ  首出し部
１ｂ  腕出し部
２    背部当接部分
３    腹巻き
４    止着部材
５    止着部材
６    止着部材
７    止着部材
８    蓋部材
８ａ  止着部
９    蓋部材
９ａ  止着部
１０  スリーパー本体
１０ａループ部
１０ｂループ部
１０ｃループ部
１０ｄループ部
１１  腹巻き
１２  ベルト部
１３  止着部材
１４  止着部材
【図１】
0003143484.tif 000003
【図２】
0003143484.tif 000004
【図３】
0003143484.tif 000005
【図４】
0003143484.tif 000006